(57)【要約】【課題】導光板が湾曲した場合でも発光輝度の輝度ムラを抑えることができるバックライトを提供する。【解決手段】導光板と、前記導光板の側面に対向して複数並んで配される発光部を有した光源と、を備えたバックライトにおいて、前記発光部が並ぶ方向に延在して伸縮性を有し、前記光源から光が入射される前記導光板の入光部および前記光源と一体化され、前記光源が射出した光を反射して前記導光板の側面に導くガイド部を少なくとも一つ備える構成とする。【選択図】図１
2012195107.tif 000002
【特許請求の範囲】
【請求項１】
導光板と、前記導光板の側面に対向して複数並んで配される発光部を有した光源と、を備えたバックライトにおいて、
前記発光部が並ぶ方向に延在して伸縮性を有し、前記光源から光が入射される前記導光板の入光部および前記光源と一体化され、前記光源が射出した光を反射して前記導光板の側面に導くガイド部を少なくとも一つ備えることを特徴とするバックライト。
【請求項２】
少なくとも一つの前記ガイド部は、光を拡散反射するシートであることを特徴とする請求項１に記載のバックライト。
【請求項３】
少なくとも一つの前記ガイド部は、前記導光板の背面から取り出された光を反射する反射シートの一部であることを特徴とする請求項１または請求項２に記載のバックライト。
【請求項４】
請求項１〜請求項３のいずれかに記載のバックライトと、前記バックライトにより照明される表示部と、を備えることを特徴とする表示装置。
【発明の詳細な説明】
【技術分野】
【０００１】
本発明は、バックライトおよび表示装置に関する。
【背景技術】
【０００２】
従来、導光板の側面にＬＥＤ（Light Emitting Diode）を光源として配した構成のバックライトを用いた、いわゆるサイドエッジ型の液晶表示装置（ＬＣＤ；Liquid Crystal Display）が存在する（例えば特許文献１参照）。
【０００３】
サイドエッジ型の液晶表示装置では、ＬＥＤの数を少なくし、その分輝度を得るためにＬＥＤに電流を多く流すことが行われている。この結果、導光板の側面付近の一部の部位に熱が集中することになり、場合によってはその熱で導光板が湾曲してしまうことがある。
【０００４】
ここで、サイドエッジ型の液晶表示装置に用いられる従来のバックライトの構成例を示す概略斜視図を図４に示す。図４に示す従来のバックライトは、放熱板１と、ＬＥＤ光源２と、金属板３と、反射シート４と、導光板５と、拡散シート６と、プリズムシート７と、拡散シート８と、を備えている。
【０００５】
側面視略Ｌ字状で左右に延在する放熱板１は、金属板３の上下端部に互いに対向するよう取り付けられる。ＬＥＤ光源２は、短冊状に延在する基板と、この基板上に複数並んで配置されたＬＥＤ（発光部）とを有する。ＬＥＤ光源２の基板は、放熱板１の互いに対向する面に接するよう取り付けられる。反射シート４は、金属板３上に配される。反射シート４の前面側に導光板５が配される。導光板５の上下側面には、ＬＥＤ光源２の複数並んだＬＥＤが対向する。そして、導光板５の前面側に拡散シート６が配され、拡散シート６の前面側にプリズムシート７が配され、プリズムシート７の前面側に拡散シート８が配される。
【０００６】
ＬＥＤ光源２から導光板５の上下側面に入射された光は、導光板５の前面から面光源として取り出される。導光板５の前面から取り出された光は、拡散シート６を通過して拡散され、プリズムシート７を通過して集光され、拡散シート８を通過してさらに拡散され、液晶パネル（不図示）（表示部）の背面を照明する。
【先行技術文献】
【特許文献】
【０００７】
【特許文献１】特開２００９−９９５５１号公報
【発明の概要】
【発明が解決しようとする課題】
【０００８】
導光板５が湾曲していない通常時における従来のバックライトの概略側面断面図を図６Ａに示す（なお、図６Ａおよび後述する図６Ｂ、図６Ｃでは、上側のＬＥＤ光源２のみ示し、下側のＬＥＤ光源２は図示を省略している）。
【０００９】
導光板５が湾曲していない通常時では、ＬＥＤ光源２から射出された光は正しく導光板５の側面から導光板５内に入射する。入射した光の一部は導光板５の背面（図６Ａでは下面）に形成されたドットパターン（不図示）で反射されて導光板５の前面から取り出され、入射した光の一部は導光板５の背面から取り出されて反射シート４で反射されて導光板５の前面から取り出される。このとき、バックライトの発光輝度はほぼ均一となるので、液晶パネル上の輝度分布もほぼ均一となる。
【００１０】
しかしながら、ＬＥＤ光源２による熱が導光板５の上下端部に集中すると導光板５が湾曲する。導光板５が湾曲した状態を従来のバックライト上部から視た図を図５に示す。図５に示すように、導光板５の端部は左右方向に波状に湾曲する。導光板５の端部が前方に湾曲する箇所であるＡ−Ａ位置の概略側面断面図を図６Ｂに示す。図６Ｂに示すように、ＬＥＤ光源２から射出された光の一部は導光板５の側面に正しく入射せず、導光板５の背面で反射してから反射シート４で反射したり、反射シート４で直接反射したりする。
【００１１】
また、導光板５の端部が後方に湾曲する箇所であるＢ−Ｂ位置（図５）の概略側面断面図を図６Ｃに示す。図６Ｃに示すように、ＬＥＤ光源２から射出された光の一部は導光板５の側面に正しく入射せず、導光板５の前面で反射してから拡散シート６で拡散される。
【００１２】
このように導光板５に正しく入射しなかった光は、正しく入射した光と輝度が異なるため、バックライトの発光輝度に輝度ムラが生じてしまう。そのため、液晶パネル上で輝度ムラが生じてしまい、表示品位が劣化するという結果となってしまう。
【００１３】
なお、特許文献１に開示されたバックライトでも、導光板が熱により湾曲した場合、ＬＥＤから射出された光の一部は正しく導光板に入射されないので、やはり輝度ムラが生じる問題がある。
【００１４】
上記問題点を鑑み、本発明は、導光板が湾曲した場合でも発光輝度の輝度ムラを抑えることができるバックライトおよびこれを備えた表示装置を提供することを目的とする。
【課題を解決するための手段】
【００１５】
上記目的を達成するために本発明のバックライトは、導光板と、前記導光板の側面に対向して複数並んで配される発光部を有した光源と、を備えたバックライトにおいて、
前記発光部が並ぶ方向に延在して伸縮性を有し、前記光源から光が入射される前記導光板の入光部および前記光源と一体化され、前記光源が射出した光を反射して前記導光板の側面に導くガイド部を少なくとも一つ備える構成とする。
【００１６】
このような構成によれば、導光板が湾曲した場合でも湾曲に従ってガイド部が変形し、光源が射出した光を導光板の側面から導光板内に正しく入射させることができるので、発光輝度の輝度ムラを抑えることができる。
【００１７】
また、上記構成において、少なくとも一つの前記ガイド部は、光を拡散反射するシートである構成としてもよい。
【００１８】
このような構成によれば、発光輝度の輝度ムラをより抑えることが可能となる。
【００１９】
また、上記いずれかの構成において、少なくとも一つの前記ガイド部は、前記導光板の背面から取り出された光を反射する反射シートの一部である構成としてもよい。
【００２０】
このような構成によれば、部品点数を抑えることが可能となる。
【００２１】
また、本発明の表示装置は、上記いずれかの構成のバックライトと、前記バックライトにより照明される表示部と、を備える構成とする。
【００２２】
このような構成によれば、表示部における輝度ムラを抑えることができ、表示品位の劣化を抑えることができる。
【発明の効果】
【００２３】
本発明のバックライトによると、導光板が湾曲した場合でも発光輝度の輝度ムラを抑えることができる。また、本発明の表示装置によると、表示品位の劣化を抑えることができる。
【図面の簡単な説明】
【００２４】
【図１】本発明の第１実施形態に係るバックライトの概略斜視図である。
【図２Ａ】通常時における本発明の第１実施形態に係るバックライトの概略側面断面図である。
【図２Ｂ】導光板が湾曲した場合における本発明の第１実施形態に係るバックライトのＡ−Ａ位置概略側面断面図である。
【図２Ｃ】導光板が湾曲した場合における本発明の第１実施形態に係るバックライトのＢ−Ｂ位置概略側面断面図である。
【図３Ａ】通常時における本発明の第２実施形態に係るバックライトの概略側面断面図である。
【図３Ｂ】導光板が湾曲した場合における本発明の第２実施形態に係るバックライトのＡ−Ａ位置概略側面断面図である。
【図３Ｃ】導光板が湾曲した場合における本発明の第２実施形態に係るバックライトのＢ−Ｂ位置概略側面断面図である。
【図４】従来のバックライトの一例を示す概略斜視図である。
【図５】導光板が湾曲した状態を従来のバックライト上部から視た図である。
【図６Ａ】通常時における従来のバックライトの概略側面断面図である。
【図６Ｂ】導光板が湾曲した場合における従来のバックライトのＡ−Ａ位置概略側面断面図である。
【図６Ｃ】導光板が湾曲した場合における従来のバックライトのＢ−Ｂ位置概略側面断面図である。
【発明を実施するための形態】
【００２５】
以下に本発明の一実施形態を図面を参照して説明する。本発明の一実施形態に係るバックライトは液晶表示装置に設けられる。
【００２６】
（第１実施形態）
本発明の第１実施形態に係るバックライトの概略斜視図を図１に示す。図１に示すバックライトは、先に説明した図４に示すバックライトと基本的には同様の構成となっているが、ガイド部材９ａ、９ｂを備えていることが主な特徴となる。
【００２７】
ガイド部材９ａ、９ｂは、伸縮性を有した左右（即ち、ＬＥＤ光源２が有する複数のＬＥＤが並ぶ方向）に延在する拡散反射シートである。ガイド部材９ａ、９ｂは、例えば一般的にバックライトで用いられる拡散シートよりも厚みを薄くした拡散シートの片面に反射用のコーティングを施すことで作成することが可能である。
【００２８】
上側のＬＥＤ光源２が有する基板の前方側面にガイド部材９ａの一端部が例えば両面テープで固定され、ガイド部材９ａの他端部が導光板５の上端部（ＬＥＤ光源２から光が入射される入光部）の前面に例えば両面テープで固定される。上側のＬＥＤ光源２が有する基板の後方側面にガイド部材９ｂの一端部が例えば両面テープで固定され、ガイド部材９ｂの他端部が導光板５の上端部の背面に例えば両面テープで固定される。これにより、上側のＬＥＤ光源２が有するＬＥＤは、ガイド部材９ａ、９ｂにより前後を覆われる。
【００２９】
同様に、下側のＬＥＤ光源２が有する基板の前方側面にガイド部材９ａの一端部が例えば両面テープで固定され、ガイド部材９ａの他端部が導光板５の下端部（入光部）の前面に例えば両面テープで固定される。下側のＬＥＤ光源２が有する基板の後方側面にガイド部材９ｂの一端部が例えば両面テープで固定され、ガイド部材９ｂの他端部が導光板５の下端部の背面に例えば両面テープで固定される。これにより、下側のＬＥＤ光源２が有するＬＥＤは、ガイド部材９ａ、９ｂにより前後を覆われる。
【００３０】
導光板５が湾曲していない通常時における本発明の第１実施形態に係るバックライトの概略側面断面図を図２Ａに示す（なお、図２Ａおよび後述する図２Ｂ、図２Ｃでは、上側のＬＥＤ光源２のみ示し、下側のＬＥＤ光源２は図示を省略している）。
【００３１】
導光板５が湾曲していない通常時では、ＬＥＤ光源２から射出された光は正しく導光板５の側面から導光板５内に入射する。入射した光の一部は導光板５の背面（図２Ａでは下面）に形成されたドットパターン（不図示）で反射されて導光板５の前面から取り出され、入射した光の一部は導光板５の背面から取り出されて反射シート４で反射されて導光板５の前面から取り出される。このとき、バックライトの発光輝度はほぼ均一となるので、液晶パネル上の輝度分布もほぼ均一となる。
【００３２】
本発明の第１実施形態に係るバックライトにおいてもＬＥＤ光源２による熱により導光板５は湾曲する。導光板５が湾曲した状態を第１実施形態に係るバックライト上部から視た図は先に説明した図５となる。図５におけるＡ−Ａ位置の概略側面断面図を図２Ｂに示し、Ｂ−Ｂ位置の概略側面断面図を図２Ｃに示す。
【００３３】
図２Ｂ、図２Ｃに示すように、導光板５が湾曲すると、湾曲に従ってガイド部材９ａ、９ｂが伸縮して変形する。そして、ＬＥＤ光源２から射出された光の一部は、ガイド部材９ａまたはガイド部材９ｂで拡散反射されてから導光板５の側面に入射する。これにより、導光板５が湾曲した場合でも、ＬＥＤ光源２から射出された光を正しく導光板５内に入射させることができ、バックライトの発光輝度の輝度ムラを抑えることができる。従って、バックライトにより照明される液晶パネル（不図示）上における輝度ムラの発生を抑えることができ、その結果、液晶表示装置の表示品位の劣化を抑えることができる。
【００３４】
（第２実施形態）
次に、本発明の第２実施形態について説明する。導光板５が湾曲しない通常時における本発明の第２実施形態に係るバックライトの概略側面断面図を図３Ａに示す（なお、図３Ａおよび後述する図３Ｂ、図３Ｃでは、上側のＬＥＤ光源２のみ示し、下側のＬＥＤ光源２は図示を省略している）。第２実施形態に係るバックライトは、上述した第１実施形態に係るバックライトにおいて反射シートに反射シート４’を使用した実施例となる。
【００３５】
反射シート４’は、導光板５の背面を覆う部分である本体部４’ａと、本体部４’ａからＬＥＤ光源２側に向けて延在するガイド部４’ｂとを有する一枚の反射シートである。反射シート４’全体の厚みは、バックライトに一般的に使用される反射シートより薄くしており、ガイド部４’ｂが伸縮性を有するようにしている。なお、本体部４’ａの厚みは、バックライトに一般的に使用される反射シートの厚みとして、ガイド部４’ｂの厚みを本体部４’ａよりも薄くしても構わない。
【００３６】
ガイド部４’ｂの本体部４’ａ側の一端部は、光が入射される導光板５の入光部の背面に接着される。また、ガイド部４’ｂの他端部は、ＬＥＤ光源２が有する基板の後方側面に接着される。なお、図３Ａで図示を省略している下側のＬＥＤ光源２については、上側のＬＥＤ光源２と同様の構成を採ればよい（従って、図３Ａにおける反射シート４’の右端の構成は簡略化している）。
【００３７】
本発明の第２実施形態に係るバックライトにおいてもＬＥＤ光源２による熱により導光板５は湾曲する。導光板５が湾曲した状態を第２実施形態に係るバックライト上部から視た図は、先に説明した図５において反射シート４を反射シート４’に置き換えた図となる。このような図におけるＡ−Ａ位置の概略側面断面図を図３Ｂに示し、Ｂ−Ｂ位置の概略側面断面図を図３Ｃに示す。
【００３８】
図３Ｂ、図３Ｃに示すように、導光板５が湾曲すると、湾曲に従ってガイド部材９ａおよびガイド部４’ｂが伸縮して変形する。そして、ＬＥＤ光源２から射出された光の一部は、ガイド部材９ａで拡散反射されるか、またはガイド部４’ｂで反射されてから導光板５の側面に入射する。これにより、導光板５が湾曲した場合でも、ＬＥＤ光源２から射出された光を正しく導光板５内に入射させることができ、バックライトの発光輝度の輝度ムラを抑えることができる。従って、バックライトにより照明される液晶パネル（不図示）上における輝度ムラの発生を抑えることができ、その結果、液晶表示装置の表示品位の劣化を抑えることができる。
【００３９】
また、第２実施形態であれば、反射シート４’の一部であるガイド部４’ｂを用いてＬＥＤ光源２からの光を導光板５へ導くので、部品点数を削減することができる。
【００４０】
以上、本発明の一実施形態について説明したが、本発明の趣旨の範囲内であれば、実施形態は種々変更が可能である。
【００４１】
例えば、ガイド部材９ａ、９ｂは、光の拡散は行わず反射のみさせる反射シートで構成してもよい。
【００４２】
また、例えば本発明は、導光板の上下側面の一方のみに光源を配するバックライト、または導光板の左右側面の少なくともいずれかに光源を配するバックライトに適用することも可能である。
【００４３】
また、本発明に係るバックライトを備えた表示装置は液晶表示装置に限らず、例えば広告用写真（表示部）をバックライトにより背面から照明する広告表示装置等としてもよい。
【符号の説明】
【００４４】
１  放熱板
２  ＬＥＤ光源
３  金属板
４  反射シート
４’  反射シート
４’ａ  本体部
４’ｂ  ガイド部
５  導光板
６  拡散シート
７  プリズムシート
８  拡散シート
９ａ、９ｂ  ガイド部材
【図１】
2012195107.tif 000003
【図２Ａ】
2012195107.tif 000004
【図２Ｂ】
2012195107.tif 000005
【図２Ｃ】
2012195107.tif 000006
【図３Ａ】
2012195107.tif 000007
【図３Ｂ】
2012195107.tif 000008
【図３Ｃ】
2012195107.tif 000009
【図４】
2012195107.tif 000010
【図５】
2012195107.tif 000011
【図６Ａ】
2012195107.tif 000012
【図６Ｂ】
2012195107.tif 000013
【図６Ｃ】
2012195107.tif 000014